(57)【特許請求の範囲】
【請求項１】
一方に開口部を有する袋状部と、前記袋状部の開口部に形成されるファスナ部とを含む収納用ケースにおいて、
前記ファスナ部は、ファスナ用シート部材と、前記ファスナ用シート部材の一端側に形成される嵌合開閉部とで構成され、
前記袋状部と前記ファスナ用シート部材とが重ねられた状態で前記ファスナ用シート部材と前記袋状部とが接合され、接合部で囲まれた部分において前記袋状部と前記ファスナ用シート部材との間に隙間が形成されたことを特徴とする、収納用ケース。
【請求項２】
前記袋状部または前記ファスナ用シート部材のうちのいずれか前記隙間に連通する貫通孔が形成された、請求項１に記載の収納用ケース。
【請求項３】
前記袋状部および前記ファスナ部は合成樹脂で形成され、前記接合部は前記袋状部と前記ファスナ用シート部材とが溶着によって接合されたものである、請求項１または請求項２に記載の収納用ケース。
【発明の詳細な説明】
【０００１】
【発明の属する技術分野】
この発明は、収納用ケースに関し、特に、たとえば文房具などの小物を収納するために用いられるクリアケースなどのような収納用ケースに関する。
【０００２】
【従来の技術】
図５は従来の収納用ケースの一例を示す平面図であり、図６はその断面図解図である。収納用ケース１は、たとえばポリプロピレンなどの合成樹脂で形成された袋状部２を含む。袋状部２は、たとえば２枚の袋用シート部材の３つの辺部分を溶着することにより形成される。袋状部２の開口部には、ファスナ部３が形成される。ファスナ部３は、たとえばポリプロピレンなどの合成樹脂で形成される。ファスナ部３は、２枚のファスナ用シート部材４を含み、その一方の端部に嵌合開閉部５が形成される。また、ファスナ用シート部材４の他方の端部が、袋状部３の開口部側に溶着される。さらに、ファスナ部３には、スライドさせることによって嵌合開閉部５を開閉するためのスライダ６が取り付けられる。この収納用ケース１では、袋状部２内に文房具などを入れ、スライダ６をスライドさせることによって、ファスナ部３の嵌合開閉部５を開閉することができる（例えば、特許文献１参照）。
【０００３】
【特許文献１】
特開２００２−２２５８６２号公報（図１）
【０００４】
【発明が解決しようとする課題】
このような収納用ケースにおいては、内部に収納された物品について表示することが困難である。このような表示をしようとすれば、たとえば収納物品名を記載した見出し紙を袋状部の外面に貼着するか、または見出し紙を挿入するポケットを別途形成する必要がある。しかしながら、見出し紙を袋状部の外面に貼着すると、見出し紙が汚れたり、剥離する可能性が高くなる。また、別途見出し紙を挿入するためのポケットを形成するためには、ポケット部材を作製して、袋状部に溶着するなどの工程が必要となり、収納用ケースの製造コストが上昇する。
【０００５】
それゆえに、この発明の主たる目的は、見出し紙を挿入するポケット部を有し、かつ安価に製造することができる収納用ケースを提供することである。
【０００６】
【課題を解決するための手段】
この発明は、一方に開口部を有する袋状部と、袋状部の開口部に形成されるファスナ部とを含む収納用ケースにおいて、ファスナ部は、ファスナ用シート部材と、ファスナ用シート部材の一端側に形成される嵌合開閉部とで構成され、袋状部とファスナ用シート部材とが重ねられた状態でファスナ用シート部材と袋状部とが接合され、接合部に囲まれた部分において袋状部とファスナ用シート部材との間に隙間が形成されたことを特徴とする、収納用ケースである。
このような収納用ケースにおいて、袋状部またはファスナ用シート部材のうちのいずれかに隙間に連通する貫通孔が形成される。
また、袋状部およびファスナ部は合成樹脂で形成することができ、この場合、接合部は袋状部とファスナ用シート部材とが溶着によって接合される。
【０００７】
ファスナ部を構成するファスナ用シート部材と袋状部との間に隙間が形成されることにより、この隙間を見出し紙を挿入するためのポケット部として使用することができる。このような隙間を形成するために、別途ポケット用の部材を取り付ける必要がなく、ファスナ部を構成するファスナ用シート部材を大きめに形成して、その端部を袋状部に接合すればよい。
この隙間に見出し紙を挿入するために、ファスナ用シート部材または袋状部の一方に、隙間に連通する貫通孔が形成される。
これらの袋状部およびファスナ部は、ポリプロピレンなどの合成樹脂で形成することができ、溶着によって接合される。
【０００８】
この発明の上述の目的，その他の目的，特徴および利点は、図面を参照して行う以下の発明の実施の形態の詳細な説明から一層明らかとなろう。
【０００９】
【発明の実施の形態】
図１はこの発明の収納用ケースの一例を示す平面図であり、図２はその断面図解図である。収納用ケース１０は、袋状部１２を含む。袋状部１２は、図３に示すように、２枚の袋用シート部材１４ａ，１４ｂを含む。袋用シート部材１４ａ，１４ｂは、たとえばポリプロピレンなどの合成樹脂で形成され、その３つの辺部における溶着部１５ａ，１５ｂ，１５ｃで溶着することにより、一方に開口部を有する袋状部１２が形成される。
【００１０】
袋状部１２の開口部には、ファスナ部１６が形成される。ファスナ部１６は、透明な２枚のファスナ用シート部材１８ａ，１８ｂを含む。ファスナ用シート部材１８ａ，１８ｂの長手方向の一端側には、矩形の貫通孔２０が形成される。これらのファスナ用シート部材１８ａ，１８ｂの幅方向の一端には、嵌合開閉部２２ａ，２２ｂが形成される。これらの嵌合開閉部２２ａ，２２ｂを互いに嵌め合わせるされることによって、袋状部１２の開口部を閉じることができる。
【００１１】
さらに、嵌合開閉部２２ａ，２２ｂには、スライダ２４が取り付けられる。スライダ２４は、嵌合開閉部２２ａ，２２ｂを挟むようにして取り付けられる。ここで、スライダ２４は、一方側に動かすと嵌合開閉部２２ａ，２２ｂを互いに押し付けて嵌め合わせるように作用し、他方側に動かすと嵌合開閉部２２ａ，２２ｂを引き離すように作用する。したがって、スライダ２４をスライドさせることにより、嵌合開閉部２２ａ，２２ｂ部分を開閉させることができる。
【００１２】
ファスナ部１６は、たとえばポリプロピレンなどの合成樹脂で形成される。なお、このファスナ部１６においては、ファスナ用シート部材１８ａ，１８ｂの幅が大きめに形成され、ファスナ用シート部材１８ａ，１８ｂが袋状部１２の開口部側において、袋用シート部材１４ａ，１４ｂの外側に配置される。そして、ファスナ用シート部材１８ａ，１８ｂは、嵌合開閉部２２ａ，２２ｂが形成されていない端部における溶着部２５ａにおいて、袋用シート部材１４ａ，１４ｂに溶着される。また、袋用シート部材１４ａ，１４ｂの開口部側端部において、ファスナ用シート部材１８ａ，１８ｂと袋用シート部材１４ａ，１４ｂとが溶着される。さらに、ファスナ用シート部材１８ａ，１８ｂの長手方向の端部は、袋用シート部材１４ａ，１４ｂを溶着するのと同時に、溶着部１５ａ，１５ｃで袋用シート部材１４ａ，１４ｂに溶着される。したがって、袋用シート部材１４ａ，１４ｂとファスナ用シート部材１８ａ，１８ｂとの間に、４つの溶着部１５ａ，１５ｃ，２５ａ，２５ｂで囲まれた隙間２６が形成される。この隙間２６が、見出し紙を保持するためのポケット部となる。
【００１３】
隙間２６には、ファスナ用シート部材１８ａ，１８ｂに形成された貫通孔２０から、見出し紙３０が挿入される。見出し紙３０には、たとえば収納用ケース１０に収納された物品名などを記入することができる。このように、袋用シート部材１４ａ，１４ｂとファスナ用シート部材１８ａ，１８ｂとの間に形成された隙間２６に見出し紙３０が挿入されるため、見出し紙３０が汚れたり、剥離することを防止することができる。
【００１４】
この収納用ケース１０では、見出し紙３０を挿入するための隙間２６が形成されるが、ファスナ部１６のファスナ用シート部材１８ａ，１８ｂを大きめに形成して、袋用シート部材１４ａ，１４ｂに溶着するだけで隙間２６を形成することができる。そのため、見出し紙を挿入するために、別途ポケット用の部材を作製したり、それを溶着する必要はなく、袋状部１２とファスナ部１６とを溶着する工程で、同時に隙間２６を形成することができる。したがって、容易に隙間２６を有する収納用ケース１０を製造することができる。
【００１５】
なお、図４に示すように、ファスナ部１６のファスナ用シート部材１８ａ，１８ｂを袋用シート部材１４ａ，１４ｂの内側に配置し、袋用シート部材１４ａ，１４ｂとファスナ用シート部材１８ａ，１８ｂとを溶着することによって、隙間２６を形成してもよい。この場合、貫通孔２０は、袋用シート部材１４ａ，１４ｂに形成される。また、袋用シート部材１４ａ，１４ｂの隙間２６に対応する部分は、透明に形成される。
【００１６】
なお、貫通孔２０は、袋状部１２の内側に形成されてもよい。つまり、図２のような収納用ケース１０において、袋用シート部材１４ａ，１４ｂに貫通孔２０を形成し、袋状部１２の内側から見出し紙３０を隙間２６に挿入するようにしてもよい。同様に、図４に示すような収納用ケース１０において、ファスナ部１６のファスナ用シート部材１８ａ，１８ｂに貫通孔２０を形成し、袋状部１２の内側から見出し紙３０を隙間２６に挿入するようにしてもよい。
【００１７】
さらに、図２の収納用ケース１０では、両方のファスナ用シート部材１８ａ，１８ｂに貫通孔２０が形成されているが、ファスナ用シート部材１８ａ，１８ｂのいずれか一方に貫通孔２０を形成してもよく、この場合、袋状部１２の一方側面の隙間２６に見出し紙３０を挿入することができる。
【００１８】
【発明の効果】
この発明によれば、見出し紙を挿入することができる隙間を有する収納用ケースを得ることができる。しかも、袋状部にファスナ部を溶着する際に、隙間を形成することができるため、隙間を形成するための特別な工程が不要であり、安価に収納用ケースを製造することができる。
【図面の簡単な説明】
【図１】この発明の収納用ケースの一例を示す平面図である。
【図２】図１に示す収納用ケースの断面図解図である。
【図３】図１に示す収納用ケースの分解斜視図である。
【図４】この発明の収納用ケースの他の例を示す断面図解図である。
【図５】従来の収納用ケースの一例を示す平面図である。
【図６】図５に示す従来の収納用ケースの断面図解図である。
【符号の説明】
１０  収納用ケース
１２  袋状部
１４ａ，１４ｂ  袋用シート部材
１６  ファスナ部
１８ａ，１８ｂ  ファスナ用シート部材
２０  貫通孔
２２ａ，２２ｂ  嵌合開閉部
２４  スライダ
２６  隙間
３０  見出し紙
【図１】
0003691818.tif 000002
【図２】
0003691818.tif 000003
【図３】
0003691818.tif 000004
【図４】
0003691818.tif 000005
【図５】
0003691818.tif 000006
【図６】
0003691818.tif 000007